(57)【要約】【課題】使用済みタンク式除湿具の外容器を再利用することでプラスチックゴミの発生を抑え、しかも、自身の廃棄時にもプラスチックゴミを増加させることなく処分できる除湿バッグを提供する。【解決手段】タンク式除湿具の外容器に収容可能な除湿バッグであって、樹脂フィルムを製袋してなる袋体と、この袋体に投入される除湿剤と、前記袋体の一部を開口してなる窓と、この窓を被蔽してなる透湿膜と、この透湿膜を前記袋体の外側から剥離可能に被覆してなる封緘シートとからなる。袋体は、窓として上縁を開口した平袋状に製袋してなる本体部と、この本体部の前記上縁側に樹脂フィルムを延長してなる一対の翼部とから構成する他、サイドガゼット袋に製袋することもある。また、袋体は、内部が視認可能な透明性を有することが好ましい。【選択図】図１
2009018226.tif 000002
【特許請求の範囲】
【請求項１】
タンク式除湿具の外容器に収容可能な除湿バッグであって、樹脂フィルムを製袋してなる袋体と、この袋体に投入される除湿剤と、前記袋体の一部を開口してなる窓と、この窓を被蔽してなる透湿膜と、この透湿膜を前記袋体の外側から剥離可能に被覆してなる封緘シートとからなり、前記袋体は窓として上縁を開口した袋状本体部の前記上縁側に樹脂フィルムを延長した一対の翼部を有し、この一対の翼部の内面に前記透湿膜を貼着したことを特徴とする除湿バッグ。
【請求項２】
一対の翼部は、それぞれを水平に広げたときの展開形状が、タンク式除湿具の外容器の開口形状を拡大した相似形に形成した請求項１記載の除湿バッグ。
【請求項３】
袋状本体部は、上縁が開口した平袋である請求項１または２記載の除湿バッグ。
【請求項４】
袋状本体部は、左右に襠を設けたサイドガゼット袋である請求項１または２記載の除湿バッグ。
【請求項５】
袋状本体部は、底部に襠を設けた自立型袋である請求項１または２記載の除湿バッグ。
【請求項６】
袋状本体部は、投入される除湿剤の重みによって、下部が拡大ないしは膨らんで縦置き可能な設置底を形成する袋である請求項１または２記載の除湿バッグ。
【請求項７】
左右に襠を設けたサイドガゼット袋状に製袋してなる樹脂フィルム製の袋体と、この袋体に投入される除湿剤と、前記袋体の表裏何れか片面に上縁近傍または中央に位置して開口してなる窓と、この窓を被蔽してなる透湿膜と、この透湿膜を前記袋体の外側から剥離可能に被覆してなる封緘シートとからなることを特徴とした除湿バッグ。
【請求項８】
袋体は、内部が視認可能な透明性を有する請求項１から７のうち何れか一項記載の除湿バッグ。
【発明の詳細な説明】
【技術分野】
【０００１】
この発明は、詰替用除湿剤として使用できる除湿バッグに関するものである。
【背景技術】
【０００２】
従来から、タンスや押し入れなどの湿気取りとして、内部上段を潮解性除湿剤の収容部とすると共に、下段を潮解水の貯留部としたプラスチック製外容器の上面開口を透湿膜で閉塞してなる除湿具（本発明において、「タンク式除湿具」という）が広く利用されている。なお、特許文献１は本出願人が開発したこの種タンク式除湿具の改良に関するもので、潮解性除湿剤を填充したメッシュ状のバスケット（中子）を外容器の上段に嵌装するに当たって、バスケットと外容器の内周壁との間に通気空間を確保したため、単にメッシュ状の棚を除湿剤の受け部としたものに比べて、除湿剤と湿気の接触面積が拡大し、高い除湿効率が得られるというものである。
【０００３】
そして、この種のタンク式除湿具はいずれも、貯留部が満水となれば使用限界となるから、透水膜を除去し、残留の除湿剤や潮解水を捨てた上で、外容器を市町村で定められたプラスチックの廃棄方法に従って処分するものである。
【０００４】
【特許文献１】登録第３０１８０５８号実用新案公報
【発明の開示】
【発明が解決しようとする課題】
【０００５】
このようにタンク式除湿具は使い捨てであるため、外容器の処分に伴って大量のプラスチックゴミが生じ、環境保全に反するという問題を有している。同時に、外容器は、比較的硬質のプラスチックで成型されるため、ペットボトルのような圧搾による小容積化が困難であり、ゴミ減らしという要請にも反する。
【０００６】
これに対して、上記特許文献１では、除湿剤入りバスケットを詰替用カートリッジとして商品化すれば、タンク式除湿具の外容器を再利用できるため、その分、プラスチックの廃棄量を大幅に削減できると提案している。しかしながら、このような詰替用カートリッジを採用したとしても、バスケットはプラスチックにより成型され、且つ、使い捨てとなるため、プラスチックゴミの発生は避けられない。
【０００７】
本発明は上述した課題に鑑みなされたもので、その目的とするところは、使用済みタンク式除湿具の外容器を再利用することでプラスチックゴミの発生を抑え、しかも、自身の廃棄時にもプラスチックゴミを増加させることなく処分できる除湿バッグを提供することである。
【課題を解決するための手段】
【０００８】
上述した目的を達成するために本発明では、タンク式除湿具の外容器に収容可能な除湿バッグであって、樹脂フィルムを製袋してなる袋体と、この袋体に投入される除湿剤と、前記袋体の一部を開口してなる窓と、この窓を被蔽してなる透湿膜と、この透湿膜を前記袋体の外側から剥離可能に被覆してなる封緘シートとから構成するという手段を用いた。本バッグは、タンク式除湿具の外容器に収容することで詰替用除湿剤として利用できるものであるが、硬質プラスチックによる成型部材を一切含まず構成されるものである。ここで袋体は、その窓を透湿膜で被蔽することによって除湿剤を完全に封入すると共に、樹脂フィルムおよび透湿膜の有する非透水性によって、バッグ内に溜まった水分を外部に漏らさず内部に保持する機能を有する。なお、封緘シートを剥離することで、透湿膜を露出して使用を開始することは従来の除湿具と同じである。また、除湿剤、透湿膜、封緘シートのそれぞれは、従来の除湿具と同じ素材のものを採用できる。即ち、除湿剤は、吸湿・吸水性を有する薬剤で、その代表的なものに潮解性無機塩（塩化カルシウム、塩化マグネシウム、塩化リチウム等）があるが、この他、吸水ポリマー、無機石膏、ゼオライト、吸水パルプ、吸水紙、シリカゲル、合成珪酸カルシウム、パーライト、活性アルミナ、生石灰（酸化カルシウム）、五酸化リン等も除湿剤として利用することができる。透湿膜は、非透水性の微多孔性シートあるいはフィルムが該当する。封緘シートは、基材にアルミ蒸着フィルムまたはアルミ箔等のバリアフィルムを使用して防湿性を確保したもので、袋体に対しては、例えば、裏面に粘着層を設けて剥離可能な構成としている。
【０００９】
このような基本的構成を有する除湿バッグにあって、本発明では第一に、主としてタンク式除湿具の外容器に縦置きに収容して使用する場合の具体的手段として、袋体を、窓として上縁が開口した袋状本体部と、その前記上縁側に樹脂フィルムを延長してなる一対の翼部とで構成し、この一対の翼部の内面に前記透湿膜を貼着することとした。この手段では、透湿膜によって袋状本体部の上縁開口（窓）を被蔽するに当たり、一対の翼部を透湿膜の貼着基部としたので、単なる袋の開口に透湿膜を設けるよりも透湿膜を設けやすく、且つ、透湿膜の有効面積も大きく確保できる。さらに、より好ましい手段として、一対の翼部は、それぞれを水平に広げたときの展開形状が、タンク式除湿具の外容器の開口形状を拡大した相似形に形成することとしたので、本バッグを前記外容器に縦置きに収容して使用するとき、展開した翼部の周縁を前記外容器の開口周縁で支持できるから、常に透湿膜を上とした状態で本バッグの姿勢を安定させることができる。さらに、従来のタンク式除湿具の中には、外力による破けなどから透湿膜を保護するために外容器の上周縁に嵌合可能な網蓋を備えたものがあるが、このようなタンク式除湿具に本バッグを適用すれば、展開翼部の周縁を外容器と網蓋とで挟み込むことができるため、振動や衝撃が加わっても本バッグが転倒することがない。
【００１０】
なお、この手段における袋状本体部は、最も簡易な袋形状である平袋によって構成できる他、投入される除湿剤の重みによって、下部が拡大ないしは膨らんで縦置き可能な設置底を形成する袋によって構成することができる。特に後者は、上縁が開口したサイドガゼット袋あるいは底部に襠を設けた自立型袋によって具現化され、この場合、袋状本体部を平袋とするよりも本バッグの大容量化と自立化が容易になる。
【００１１】
一方、本発明では、第二として、樹脂フィルムをサイドガゼット袋状に製袋してなる袋体と、この袋体に投入される除湿剤と、前記袋体の表面に上縁近傍または中央に位置して開口してなる窓と、この窓を被蔽してなる透湿膜と、この透湿膜を前記袋体の外側から剥離可能に被覆してなる封緘シートとによって除湿バッグを構成するという手段を別途用いる。この第二手段による除湿バッグは、透湿膜を袋体の表面に設けているため、袋体を水平に寝かせた状態で使用するものとして好適である。この場合、タンク式除湿具の外容器に対して水平に寝かせた状態で収容して使用できることはもちろん、このような外容器がなくとも、単体で使用することができる。このように水平に寝かせて使用するものとしては、窓を袋体の表面中央に設けることが好ましい。
【００１２】
しかしながら、前記第二手段において、袋体はサイドガゼット袋状に製袋するため、平袋とするよりも除湿剤の内容量が大きくなり、縦置きにした場合には、その除湿剤の重みによって、容易に下部が拡大ないしは膨らんで自立可能な設置底を形成する。即ち、第二手段による除湿バッグは、上述した水平に寝かせた状態と、縦置きにした状態の二形態について使用可能である。そして、縦置き状態で使用することを予定するのであれば、窓は袋体の上縁近傍に設けることが好ましい。自立時に常に窓（透湿膜）が上となって、吸湿が阻害されることがなく、また、吸湿した水分の漏洩も確実に防止できるからである。
【００１３】
なお、袋体に内部が視認可能な透明性を持たせることで、吸水量を目視でき、交換時期を知ることができる。具体的には、袋体の全部または一部を透明もしくは半透明の樹脂フィルムによって構成する。
【発明の効果】
【００１４】
本発明によれば、樹脂フィルム製の袋体に除湿剤を封入したので、タンク式除湿具の外容器を再利用できる詰替用除湿剤として機能すると共に、前記外容器を再利用することによって、その分のプラスチックゴミがなくなり、且つ、本バッグ自体の廃棄処分時にも分別を要するプラスチックゴミの発生がない。しかも、袋体を小さくまとめることができるため、ゴミの容量も小さく抑えることができる。
【００１５】
このような基本的な効果に加えて、開口上縁に一対の翼部を設けて袋体とし、その翼部に透湿膜を貼着した除湿バッグにあっては、翼部の展開面積に応じて充分な大きさの透湿膜を確保でき、結果、透湿膜と空気の接触面積が大きくなるから、広範囲をカバーすることができる。また、一対の翼部の展開形状を外容器の開口形状を拡大した相似形とすれば、さらに透湿膜の有効面積も拡大すると共に、展開翼部の周縁を外容器の開口と蓋で挟み込むこともできるため、除湿バッグの姿勢が極めて安定する。
【００１６】
一方、サイドガゼット袋によって袋体をなしたものにあっては、両サイドの襠の分だけ袋体の内容量が増加し、除湿能力を高めることができる。そして、外容器内あるいは単体で、水平に寝かせて使用することができる他、より多くの除湿剤を封入できるから、その重みによって容易に袋体の下部の襠が開き、結果、底の設置面積が拡大するから、自立可能となって、縦置き状態での使用も可能となる。この縦置き状態でも、その自立性によって、特段の支持なく、タンク式除湿具の外容器に安定して収容できると共に、それ単体のみで使用することが可能である。
【発明を実施するための最良の形態】
【００１７】
以下、本発明の好ましい実施の形態を添付した図面に従って説明する。図１は、本発明の第一の実施形態を示したもので、その袋体１０は、二枚の樹脂フィルムを表裏に配置した上、下縁および左右縁の三辺をシールして上縁に窓としての開口１１を設けた平袋状に製袋される袋状本体部１２と、この本体部１２の上縁側に前記表裏の樹脂フィルムをそれぞれ上方に延長してなる一対の翼部１３・１４とによって構成している。このような袋体１に対して透湿膜１５は、前記一対の翼部１３・１４の内側にその全部を覆うように貼着されている。さらに、この透湿膜１５上には、その全部を覆って封緘シート１６を剥離可能に設けている。なお、透湿膜１５はその全面を翼部１３・１４に貼着したのでは透湿性が機能しないため、翼部１３・１４の内側に対して四周縁を貼着している。また、このように透湿膜１５を貼着することで、開口１１を被蔽している。図中の５は、袋体１０に封入した除湿剤である。
【００１８】
そして、この第一実施形態の除湿バッグは、タンク式除湿具の外容器Ｂに縦置きに収容して使用するものである。即ち、予め外容器Ｂから除湿剤の支持板を取り除いた上、この外容器に袋体１０を投入すると共に、一対の翼部１３・１４を外側（図中の矢印方向）に向かって水平に展開し、この展開した翼部１３・１４（図中の一点鎖線を参照）を外容器の開口縁で支持することで、縦置き使用が可能となる。
【００１９】
また、この実施形態では、一対の翼部１３・１４の展開形状が外容器の開口形状を拡大した相似形となるように設定しているため、上記要領で縦置きにした後、外容器に網蓋Ｃを嵌合することで、展開翼部１３・１４の周縁を外容器の開口と網蓋Ｃとで挟持することができるから、開口（窓）１１を上に大きく開いた状態とすると共に、衝撃等によっても外容器内で転倒しないように、本バッグの縦置き姿勢を安定させることができる。また、網蓋Ｃをかぶせることで、透湿膜１５が保護される。
【００２０】
なお、上記実施形態では、袋体１０を左右縁および下縁をシールした平袋状としたが、上縁が開口し、且つ、一対の翼部１３・１４を一体成形することができるものであれば、これに限定しない。
【００２１】
つまり、袋体１０の別構成として、左右縁を内側に折り込んで襠を形成したサイドガゼット袋とすることも可能である。その場合、平袋とするよりも、襠の分だけ除湿剤の内容量を増加させることができる。従って、より多くの除湿剤によって除湿（吸湿）能力の高い除湿バッグとすることができる。これと同時に、除湿剤の重みによって下部の襠が拡がり、単独で自立可能な除湿バッグとすることができる。一方、袋体１０を底部に襠を設けた自立型袋（いわゆるスタンドパック袋）とすることも可能で、この場合、サイドガゼット袋とするよりも簡単に自立型の除湿バッグを得ることができる。
【００２２】
次に、図２は、本発明の第二実施形態に係る除湿バッグを示したものであり、袋体２０を樹脂フィルム製のサイドガゼット袋に製袋すると共に、この袋体２０の片面の中央に窓２１を開口している。この窓２１は、袋体２０の内側から透湿膜２２によって被蔽され、さらに、この透湿膜２２を被覆する封緘シート２３を袋体２０の外側に剥離可能に設けている。なお、透湿膜２２の有効面積は窓２１の開口面積に比例するため、窓２１を大きくすることで吸湿量を高めることができる。このような観点から、窓２１は、後述する外容器Ｂに横置きに収容したとき、外容器Ｂの開口に対して面積比２５〜１００％の間で設定する。
【００２３】
そして、この第二実施形態の除湿バッグも、第一実施形態と同様に、タンク式除湿具の外容器Ｂに収容して使用できるものであるが、その使用形態は、図２に示したように、透湿膜２２（窓２１）を上にして、袋体２０を水平に寝かせた状態（横置き）で外容器Ｂに収容するものである。このとき、仮に袋体２０が外容器Ｂよりも大きい場合は、端部を折り曲げて外容器Ｂに収容することができる。ただし、外容器Ｂに収容せず、本バッグ単体のみの横置き使用も可能である。なお、このように横置きでの単体使用を想定する場合、窓２１は、最大で、袋体２０の片面全てが透湿膜２２により形成されるように設定することができるが、同時に、上述した「外容器Ｂの開口に対して面積比２５％以上」という条件を満たす除湿バッグにあっては、外容器使用と単体使用の双方で効果的な除湿作用を得ることができる。
【００２４】
一方、第二実施形態のように、袋体２０をサイドガゼット袋とした除湿バッグは、図３に示したように、縦置きに使用することができる。即ち、左右に内側に折り込んでなる襠２４・２５を有するサイドガゼット袋を袋体２０とすれば、先に説明したのと全く同じに、平袋とするよりも襠２４・２５の分だけ内容量が大きくなり、これに伴って除湿剤５の封入量が大きくなれば、その重みによって襠２４・２５が広がって袋体２０の下方が膨れ、袋体２０の底部において設置面積が大きくなるからである。ただし、縦置き使用を予定する場合、窓２１（透湿膜２２）は、図３に示したように、袋体２０の上縁近傍に設けることが好ましい。自立状態において透湿膜２２が除湿剤５によって塞がれることを防止できるからである。このように、第二実施形態の除湿バッグは、外容器Ｂに収容して使用する態様と単体で使用する態様の双方について、透湿膜２２（窓２１）の形成位置を変えることで、横置きと縦置きの何れにも好適に対応する。
【００２５】
なお、上述した二つの実施形態は何れも、袋体を透明の樹脂フィルムによって製袋している。このため、内部が視認でき、除湿剤の状態や内部に溜まった水分量を目視して、取替時期を判断することができる。
【図面の簡単な説明】
【００２６】
【図１】本発明の第一実施形態に係る除湿バッグとタンク式除湿具への適用を示した斜視図
【図２】本発明の第二実施形態に係る除湿バッグタンク式除湿具への適用を示した斜視図
【図３】第二実施形態に係る除湿バッグの縦置き使用状態を示した斜視図
【符号の説明】
【００２７】
１０・２０  袋体
１１・２１  窓
１５・２２  透湿膜
１６・２３  封緘シート
５  除湿剤
１２  袋状本体部
１３・１４  翼部
【図１】
2009018226.tif 000003
【図２】
2009018226.tif 000004
【図３】
2009018226.tif 000005